(57)【特許請求の範囲】
【請求項１】
家具の面状領域を構成する変形領域を作動させるための変形領域作動装置であって、
前記変形領域に配される変形可能な変形部と、
当該変形部の後背に配され、且つ端部全域又は端部のうち複数箇所を前記変形部に接合したバックアップ部と、
前記変形部と前記バックアップ部との間で膨縮自在な流体袋を有し、且つ当該流体袋の膨張動作に伴って、前記変形部のうち前記バックアップ部との接合部位を後方に向かって移動させる駆動機構とを具備してなることを特徴とする変形領域作動装置。
【請求項２】
前記バックアップ部の端部を、前記変形部の端部から当該変形部の中心に向かって変位した箇所に接合している請求項１記載の変形領域作動装置。
【請求項３】
前記流体袋の膨張動作に伴って、前記変形部と前記バックアップ部との前記接合部位が後方へ移動しながら相互に接近するにつれて前記変形部の変形量が漸次増大する請求項１又は２記載の変形領域作動装置。
【請求項４】
前記変形部が、前記流体袋の膨張動作に伴って伸縮せずに湾曲変形し得るものである請求項１、２又は３記載の変形領域作動装置。
【請求項５】
前記変形部が、膨張させた前記流体袋を収縮させた際に、湾曲変形前の状態に自己復元し得るものである請求項４記載の変形領域作動装置。
【請求項６】
前記バックアップ部が、前記流体袋の膨張動作に伴って伸縮せずに湾曲変形し得るものであり、且つ前記流体袋の膨張動作時における当該バックアップ部の変形量が、前記変形部の変形量よりも大きい請求項４又は５記載の変形領域作動装置。
【請求項７】
前記バックアップ部が、前記流体袋を膨張させた状態から収縮させた際に、湾曲変形前の状態に自己復元し得るものである請求項６記載の変形領域作動装置。
【請求項８】
前記バックアップ部の両端部を前記変形部における互いに離間した二箇所に接合している請求項１、２、３、４、５、６又は７記載の変形領域作動装置。
【請求項９】
前記バックアップ部の端部全域又は端部のうち複数箇所を前記変形部における仮想円周上又は当該仮想円周近傍に接合したものである請求項１、２、３、４、５、６又は７記載の変形領域作動装置。
【請求項１０】
前記変形部及び前記バックアップ部が、概略面状のものである請求項１、２、３、４、５、６、７、８又は９記載の変形領域作動装置。
【請求項１１】
前記変形部の変形特性を方向付けるために当該変形部のうち所定部分を他の部分よりも部分的に変形し易くした変形容易手段を備えている請求項１、２、３、４、５、６、７、８、９又は１０記載の変形領域作動装置。
【請求項１２】
前記変形容易手段が、スリット又は切欠又は薄肉部である請求項１１記載の変形領域作動装置。
【請求項１３】
前記変形部の変形特性を方向付けるために当該変形部のうち所定部分を他の部分よりも部分的に変形し難くした変形抑制手段を備えている請求項１、２、３、４、５、６、７、８、９、１０、１１又は１２記載の変形領域作動装置。
【請求項１４】
前記変形抑制手段が、前記変形部と前記流体袋との間に配され、且つ当該流体袋の膨張動作によって伸縮せず且つ湾曲変形しない剛性を有する補強材である請求項１３記載の変形領域作動装置。
【請求項１５】
前記変形領域が、着座者の腰部を支持し得るランバーサポート領域であり、
前記変形部が、前記ランバーサポート領域に配されるランバーサポート部であり、
前記バックアップ部が、前記ランバーサポート部の後背に配されるランバーサポートバックアップ部である請求項１、２、３、４、５、６、７、８、９、１０、１１、１２、１３又は１４記載の変形領域作動装置。
【請求項１６】
前記変形領域が、座面を形成する座領域であり、
前記変形部が、前記座領域に配される座部であり、
前記バックアップ部が、前記座部のうち迫り上がった後端部位に配される座後端部位バックアップ部であり、
前記流体袋の膨張動作に伴って前記座部の後端部位を下方に向かって湾曲変形させるようにした請求項１、２、３、４、５、６、７、８、９、１０、１１、１２、１３又は１４記載の変形領域作動装置。
【請求項１７】
前記変形領域が、座面を形成する座領域であり、
前記変形部が、前記座領域に配される座部であり、
前記バックアップ部が、前記座部の前端部位に配される座前端部位バックアップ部であり、
前記流体袋の膨張動作に伴って前記座部の前端部位を下方に向かって湾曲変形させることにより、前記座部の奥行き寸法が変更するようにした請求項１、２、３、４、５、６、７、８、９、１０、１１、１２、１３又は１４記載の変形領域作動装置。
【発明の詳細な説明】
【技術分野】
【０００１】
本発明は、家具の面状領域を構成する変形領域を作動させるための変形領域作動装置に関するものである。なお「面状領域」とは、平面状の領域又は曲面状の領域の何れをも含む概念であり、「家具の面状領域」とは、「家具とその周囲の空間との境界を形成し得る面状領域」を意味する。
【背景技術】
【０００２】
従来より、オフィス等で使用される椅子において、着座者の腰部を支持し得るランバーサポート領域や、座面を形成する座領域等の変形可能な領域（以下、「変形領域」と称す）を変形させるために、構造の複雑なリンク機構を設け、このリンク機構の作用によって変形領域を変形させる態様が多数知られている（例えば特許文献１、特許文献２参照）。
【特許文献１】特開平１０―１７９３１４号公報
【特許文献２】特開平７―９５９１１号公報
【発明の開示】
【発明が解決しようとする課題】
【０００３】
しかしながら、従来のものは、リンク機構が必須であり、構造の複雑化を招来するとともに、リンク機構を適用しているため、変形領域の変形量を無段階に調整することができないという不具合があった。
【０００４】
本発明は、このような課題に着目してなされたものであって、主たる目的は、構造の簡略化、及び構造簡略化に伴う外観の簡素化を図るとともに、変形領域の変形量を無段階に調整可能な変形領域作動装置を提供することにある。
【課題を解決するための手段】
【０００５】
すなわち、本発明の変形領域作動装置は、家具の面状領域を構成する変形領域を作動させるためのものであって、前記変形領域に配される変形可能な変形部と、当該変形部の後背に配され、且つ端部全域又は端部のうち複数箇所を前記変形部に接合したバックアップ部と、前記変形部と前記バックアップ部との間で膨縮自在な流体袋を有し、且つ当該流体袋の膨張動作に伴って、前記変形部のうち前記バックアップ部との接合部位を後方に向かって移動させる駆動機構とを具備してなることを特徴とする。
【０００６】
ここで、「面状領域」及び「家具の面状領域」とは上述した意味であり、「変形領域に配される変形部」とは、変形部自体が変形領域の前面部（表面部）に露出する態様、或いは変形部の前面部（表面部）に、変形部の変形に応じて変形し得る張り地やクッション等のオプション部材を設けることにより、変形部自体が変形領域の前面部（表面部）に露出しない態様、これら何れの態様をも包含する概念である。
【０００７】
このようなものであれば、流体袋の膨縮動作に伴って変形部を変形させることができ、従来のような複雑なリンク機構が不要となり、構造の簡略化、及び構造簡略化に伴う外観の簡素化を有効に図ることができるとともに、流体袋内の流体量に応じて変形部のうちバックアップ部との接合部位が後方に向かって移動することによって変形部の変形量を変化させる態様であるため、変形部、ひいては変形領域の変形量を無段階で調節することができる。さらに、バックアップ部が流体袋を介して変形部の後背に配されるため、変形部自体の強度も有効に向上させることができる。
【０００８】
特に、前記バックアップ部の端部を、前記変形部の端部から当該変形部の中心に向かって変位した箇所に接合すれば、変形部のうち、バックアップ部の接合部位よりも端部側の部分を、接合部位よりもさらに後方へ移動させることができ、バックアップ部の端部を変形部の端部に接合した場合と比較して、接合部位の移動距離に対する変形部の変形量を増大させることができる。
【０００９】
流体袋の膨張動作に伴って変形部を徐々に変形させるようにするには、前記流体袋の膨張動作に伴って、前記変形部と前記バックアップ部との前記接合部位が後方へ移動しながら相互に接近するにつれて前記変形部の変形量が漸次増大するものとすればよい。
【００１０】
また、前記変形部が、前記流体袋の膨張動作に伴って伸縮せずに湾曲変形し得るものであれば、変形部が伸縮性に富む素材から成形したものである場合に起こり得る不具合、すなわち、流体袋の膨張動作による押圧力を受けた場合に、その押圧力を変形部自体の伸縮によって吸収するという不具合が生じず、流体袋の膨張動作による押圧力に応じた変形部、ひいては変形領域の変形を実現することができる。
【００１１】
特に、前記変形部が、膨張させた前記流体袋を収縮させた際に、湾曲変形前の状態に自己復元し得るものであることが好ましい。
【００１２】
さらに、前記バックアップ部が、前記流体袋の膨張動作に伴って伸縮せずに湾曲変形し得るものであり、且つ前記流体袋の膨張動作時における当該バックアップ部の変形量が、前記変形部の変形量よりも大きければ、バックアップ部が伸縮性に富む素材から成形したものである場合に起こり得る不具合、すなわち、流体袋の膨張動作による押圧力を受けた場合に、その押圧力をバックアップ部自体の伸縮によって吸収してしまい、変形部を変形させることができないという不具合を回避することができるとともに、バックアップ部が変形部よりも湾曲変形し易いものである場合に起こり得る不具合、すなわち、流体袋の膨張動作による押圧力を受けた場合に、変形部のうち、バックアップ部の接合部位に囲まれた領域がいびつな形状に変形するという不具合を回避することができる。この場合、バックアップ部が、前記流体袋を膨張させた状態から収縮させた際に、湾曲変形前の状態に自己復元し得るものであることが好ましい。
【００１３】
加えて、図１及び図２に示すように、バックアップ部Ｘ２の両端部を変形部Ｘ１における互いに離間した二箇所に接合した態様とすれば、流体袋Ｘ３１の膨張動作に伴って変形部Ｘ１のうちバックアップ部Ｘ２との接合部位ＸＰ１、ＸＰ２が後方に向かって移動することになり、予め接合部位ＸＰ１、ＸＰ２間の距離を小さく設定した場合と、予め接合部位ＸＰ１、ＸＰ２間の距離を大きく設定した場合とで、流体袋Ｘ３１の同程度の膨張量に対する変形部Ｙ１全体の変形度合い（突出量）を異ならせることができ、適用箇所や用途等に応じて変形部Ｙ１全体の変形度合いを容易に調整することができる。なお、図２では初期状態（換言すれば流体袋Ｘ３１が収縮している状態）の変形部Ｘ１を想像線で示している。
【００１４】
バックアップ部の他の態様としては、前記バックアップ部の端部全域又は端部のうち複数箇所を前記変形部における仮想円周上又は当該仮想円周近傍に接合した態様が挙げられる。この場合も、予め仮想円の直径を小さく設定した場合と、予め仮想円の直径を大きく設定した場合とで、流体袋の同程度の膨張量に対する変形部全体の変形度合い（突出量）を異ならせることができ、用途等に応じて変形部全体の変形度合いを容易に調整することができる。
【００１５】
また、変形部及びバックアップ部が概略面状のものであれば、これら変形部及びバックアップ部の間で膨縮可能な流体袋が膨張した場合に、この流体袋の膨張動作による押圧力を、変形部及びバックアップ部が面で受ける態様となり、流体袋の膨張動作に応じて変形部を的確に変形させることが可能である。
【００１６】
前記変形部の変形特性を方向付けるために当該変形部のうち所定部分を他の部分よりも部分的に変形し易くした変形容易手段を備えたものであれば、変形部における変形量を部分的に異ならせることにより、変形部の変形特性を的確に方向付けることができ、変形部の形状変化を簡単にコントロールすることができる。
【００１７】
前記変形容易手段が、スリット又は切欠又は他の部位より厚み寸法を小さく設定した薄肉部であれば、簡単な構成で変形容易手段を実現できる。
【００１８】
適用箇所や用途等によっては、流体袋の膨張動作に伴って、変形部のうちバックアップ部との接合部位を後方に向かって移動させつつ、変形部のうちバックアップ部の接合部位に囲まれる領域の形状を流体袋の収縮時と略同形状に保っていることが好ましい場合もある。このような要求に応えるためには、前記変形部の変形特性を方向付けるために当該変形部のうち所定部分を他の部分よりも部分的に変形し難くした変形抑制手段を備えたものとすればよい。このように、変形部における変形量を部分的に異ならせることにより、変形部の変形特性を的確に方向付けることができ、変形部の形状変化を簡単にコントロールすることができる。
【００１９】
変形抑制手段が、前記変形部と前記流体袋との間に配され、且つ当該流体袋の膨張動作によって伸縮せず且つ湾曲変形しない剛性を有する補強材であれば、簡単な構造で変形抑制手段を実現できる。
【００２０】
好適な実施態様としては、前記変形領域が、着座者の腰部を支持するランバーサポート領域であり、前記変形部が、前記ランバーサポート領域に配されるランバーサポート部であり、前記バックアップ部が、前記ランバーサポート部の後背に配されるランバーサポートバックアップ部である態様が挙げられる。
【００２１】
異なる好適な実施態様としては、前記変形領域が、座面を形成する座領域であり、前記変形部が、前記座領域に配される座部であり、前記バックアップ部が、前記座部のうち迫り上がった後端部位に配される座後端部位バックアップ部であり、前記流体袋の膨張動作に伴って前記座部の後端部位を下方に向かって湾曲変形させるようにした態様が挙げられる。このような態様であれば、迫り上がった座部の後端部位によって着座者の骨盤全体をサポートし得る状態と、そのサポート状態を解除した状態とを選択することできる。
【００２２】
また、さらに異なる好適な実施態様としては、前記変形領域が、座面を形成する座領域であり、前記変形部が、前記座領域に配される座部であり、前記バックアップ部が、前記座部の前端部位に配されるものであり、前記流体袋の膨張動作に伴って前記座部の前端部位を下方に向かって湾曲変形させることにより、前記座の奥行き寸法が変更するようにした態様が挙げられる。
【発明の効果】
【００２３】
以上説明したように本発明によれば、構造の簡略化、及び構造簡略に伴う外観の簡素化を図るとともに、変形領域の変形量を無段階に調整可能な変形領域作動装置を提供することができる。
【発明を実施するための最良の形態】
【００２４】
以下、本発明の一実施形態を、図面を参照して説明する。
【００２５】
本実施形態では、図３及び図４に示すように、本発明に係る変形領域作動装置を、椅子におけるランバーサポート領域ＬＡの前方への突出量を調整するためのランバーサポート領域作動装置Ｌとして機能させている。
【００２６】
椅子の背凭れは、背シェルＢＳを用いて構成し、この背シェルＢＳによって着座者の上半身を支持する支持面を形成している。なお、図３は背シェルＢＳを背面から見た状態の模式図であり、図４は背シェルＢＳを側面から見た状態の模式図である。そして、背シェルＢＳのうち、着座者の腰部を支持し得るランバーサポート領域ＬＡに配される部位が、着座者の腰部を支持し得るランバーサポート部Ｌ１として機能し、着座者の背中を支持し得る背支持領域ＢＡに配される部位が、着座者の背中を支持し得る背支持部Ｂ１として機能する。なお、以下の説明において、背シェルＢＳのうちランバーサポート部Ｌ１より下方の部位を非背支持部Ｎ１とする。この背シェルＢＳは、例えば、伸縮性に乏しい合成樹脂素材からなり、厚み方向に弾性変形可能な概略面板状のものである。
【００２７】
ランバーサポート領域作動装置Ｌは、前記ランバーサポート部Ｌ１と、ランバーサポート部Ｌ１の後背に配されるバックアップ部（以下、「ランバーサポートバックアップ部Ｌ２」と称す）と、ランバーサポート部Ｌ１とランバーサポートバックアップ部Ｌ２との間に介在して膨縮自在な流体袋（以下、「ランバーサポート用流体袋Ｌ３１」と称す）を有する駆動機構（以下、「ランバーサポート駆動機構Ｌ３」と称す）とを備えたものである。
【００２８】
ランバーサポートバックアップ部Ｌ２は、一端部をランバーサポート部Ｌ１の上端部近傍に一体的に接合するとともに、他端部をランバーサポート部Ｌ１の下端部近傍に一体的に接合したものである。本実施形態では、ランバーサポートバックアップ部Ｌ２の両端部をランバーサポート部Ｌ１に溶着等の適宜の手段により固定している。以下の説明では、ランバーサポートバックアップ部Ｌ２の一端部とランバーサポート部Ｌ１との接合部位を「ランバーサポート第１接合部位ＬＰ１」とし、ランバーサポートバックアップ部Ｌ２の他端部とランバーサポート部Ｌ１との接合部位を「ランバーサポート第２接合部位ＬＰ２」とする。なお、本実施形態の背シェルＢＳにおいて、ランバーサポート部Ｌ１、背支持部Ｂ１、及び非背支持部Ｎ１の各境界は、後述する切欠Ｂ１１（図３参照）によって明確に区切られるものではない。すなわち、背シェルＢＳのうち高さ方向に離間して設けた切欠Ｂ１１間の部分のみがランバーサポート部Ｌ１である、ということではない。したがって、高さ方向に離間して設けた切欠Ｂ１１間の部分にランバーサポートバックアップ部Ｌ２の両端部を接合していないことが、本願請求項１の内容、つまり「端部のうち複数箇所を前記変形部（本実施形態のランバーサポート部）に接合したバックアップ部」との要件に矛盾するものではないことを付言しておく。
【００２９】
このランバーサポートバックアップ部Ｌ２は、ランバーサポート用流体袋Ｌ３１の膨張動作に伴って伸縮せずに湾曲変形し得る概略面板状のものである。本実施形態のランバーサポートバックアップ部Ｌ２は、弾性に富むエラストマーから成形している。また、ランバーサポートバックアップ部Ｌ２の巾寸法を、背シェルＢＳの巾寸法よりも小さく設定している（図３参照）。
【００３０】
ランバーサポート駆動機構Ｌ３は、ランバーサポート部Ｌ１とランバーサポートバックアップ部Ｌ２との間に配したランバーサポート用流体袋Ｌ３１と、ランバーサポート用流体袋Ｌ３１の流出入口に一端部を接続したチューブ等の管路Ｌ３２と、管路Ｌ３２の他端部に接続されランバーサポート用流体袋Ｌ３１内へ流入される流体を供給する流体供給源Ｌ３３とを備えたものである。
【００３１】
ランバーサポート用流体袋Ｌ３１は、ランバーサポート部Ｌ１とランバーサポートバックアップ部Ｌ２との間に抜落不能に配されている。本実施形態では、流体供給源Ｌ３３としてエアポンプを適用し、ランバーサポート用流体袋Ｌ３１として、内部の空気量の変化に伴って膨縮動作可能なエアバッグを適用している。図３等に示す前記エアポンプは手動式のものであり、着座者が当該エアポンプを直接握ることによって、ランバーサポート用流体袋Ｌ３１内の流体量を調整することが可能である。また、流体供給源として、例えば伸縮可能なピストンタイプ又は回転可能な握り玉タイプ（ノブタイプ）のエアコンプレッサを適用してもよく、エアコンプレッサを作動させるためのスイッチやボタン等の操作部を適宜設ければよい。また、ランバーサポート駆動機構Ｌ３は、管路Ｌ３２等の適宜箇所に、流体の逆流を規制する状態と、流体の逆流を許容する状態との間で切替可能な切替弁を設けている。
【００３２】
このような構成を有するランバーサポート駆動機構Ｌ３の作用によってランバーサポート部Ｌ１、ひいてはランバーサポート領域ＬＡの形状を変形させることができる。
【００３３】
具体的には、図４に示す初期状態（換言すればランバーサポート用流体袋Ｌ３１が収縮している状態）において、流体供給源Ｌ３３たるエアポンプを握る操作を行うことにより、ランバーサポート用流体袋Ｌ３１に流体（本実施形態では圧縮空気）が供給され、ランバーサポート用流体袋Ｌ３１が膨張する。このランバーサポート用流体袋Ｌ３１の膨張動作に伴って、図５に示すように、ランバーサポート部Ｌ１及びランバーサポートバックアップ部Ｌ２が相互に厚み方向（換言すれば椅子の奥行き方向）に離間する方向へ押圧される。これにより、ランバーサポート部Ｌ１のうちランバーサポート第１接合部位ＬＰ１及びランバーサポート第２接合部位ＬＰ２が、これら接合部位ＬＰ１、ＬＰ２間の部分よりも相対的に後方へ移動し、これら接合部位ＬＰ１、ＬＰ２間の部分が相対的に前方へ突出するように撓みながら弾性変形する。より具体的には、ランバーサポート用流体袋Ｌ３１の膨張動作に伴って、ランバーサポート第１接合部位ＬＰ１及びランバーサポート第２接合部位ＬＰ２が後方へ移動しながら相互に接近する方向に移動し、これら接合部位ＬＰ１、ＬＰ２が相互に接近するにつれて、ランバーサポート第１接合部位ＬＰ１とランバーサポート第２接合部位ＬＰ２との間の部分の前方への変形量、換言すれば前方への突出量が漸次増大する。
【００３４】
さらに、本実施形態では、単一の背シェルＢＳのうち、ランバーサポート領域ＬＡに配される部位をランバーサポート部Ｌ１として機能させているため、ランバーサポート部Ｌ１の上端部近傍に設定したランバーサポート第１接合部位ＬＰ１は、いわば前記背支持部Ｂ１とランバーサポート部Ｌ１との境界部位近傍に位置し、ランバーサポート部Ｌ１の下端部近傍に設定したランバーサポート第２接合部位ＬＰ２は、いわば前記非背支持部Ｎ１とランバーサポート部Ｌ１との境界部位近傍に位置する。そして、本実施形態に係るランバーサポート領域作動装置Ｌが、ランバーサポート用流体袋Ｌ３１の膨張動作に伴って、背シェルＢＳのうち、各接合部位ＬＰ１、ＬＰ２より端部側の部分を、各接合部位ＬＰ１、ＬＰ２よりもさらに後方へ移動させるものとなる。そのため、ランバーサポート用流体袋Ｌ３１の膨張動作に伴って、背シェルＢＳのうち、各接合部位ＬＰ１、ＬＰ２よりも上端部側の部分、下端部側の部分である背支持部Ｂ１及び非背支持部Ｎ１が、各接合部位ＬＰ１、ＬＰ２よりもさらに後方へ移動し、ランバーサポート部Ｌ１が背支持部Ｂ１及び非背支持部Ｎ１よりも確実に前方へ突出する（図５参照）。特に、本実施形態では、ランバーサポートバックアップ部Ｌ２を構成する背シェルＢＳを、ランバーサポート部Ｌ１よりも湾曲変形し易いものとし、ランバーサポート用流体袋Ｌ３１の膨張動作時におけるランバーサポートバックアップ部Ｌ２の変形量が、ランバーサポート部Ｌ１の変形量よりも大きくなるようにしている。その結果、ランバーサポート用流体袋Ｌ３１が膨張した際に、背シェルＢＳのうち、ランバーサポート第１接合部位ＬＰ１とランバーサポート第２接合部位ＬＰ２との間の部分、つまりランバーサポート部Ｌ１が、ランバーサポート第１接合部位ＬＰ１及びランバーサポート第２接合部位ＬＰ２よりも端部側の部分、つまり背支持部Ｂ１、及び非背支持部Ｎ１と滑らかに連続する曲線状に変形する（図５参照）。
【００３５】
そして、ランバーサポート部Ｌ１の撓み変形により、ランバーサポート領域ＬＡ全体が側面視凸状に変形する。
【００３６】
一方、このようにランバーサポート領域ＬＡを前方に突出させた状態において、エアポンプに設けられ、且つ前記切替弁を逆流規制状態から逆流許容状態に切り替えるための操作部に対して所定の操作を行うことにより、ランバーサポート用流体袋Ｌ３１内の流体量を減少させた場合には、このランバーサポート用流体袋Ｌ３１が収縮し、この収縮動作に伴って、ランバーサポート部Ｌ１及びランバーサポートバックアップ部Ｌ２が相互に厚み方向に近付く方向へ弾性復帰し、ランバーサポート領域ＬＡの前方への突出量が小さくなり、変形前の初期状態に戻る（図４参照）。
【００３７】
なお、本実施形態の椅子は、前記背支持領域ＢＡを作動させるための背支持領域作動装置Ｂを備えている。背支持領域作動装置Ｂは、本発明に係るランバーサポート作動装置Ｌとは異なる原理で変形領域である背支持領域ＢＡを作動させるものである。
【００３８】
背支持領域作動装置Ｂは、図３、図４、及び図８等に示すように、背シェルＢＳのうち前記背支持領域ＢＡに配される背支持部Ｂ１と、背支持部Ｂ１の後背に配されるバックアップ部（以下、「背支持バックアップ部Ｂ２」と称す）と、背支持部Ｂ１と背支持バックアップ部Ｂ２との間に介在して膨縮自在な流体袋（以下、「背支持用流体袋Ｂ３１」と称す）を有する駆動機構（以下、「背支持駆動機構Ｂ３」と称す）とを備えたものである。
【００３９】
本実施形態では、前記背シェルＢＳのうち着座者の背中を支持し得る部位を背支持部Ｂ１として機能させている。なお、本実施形態では、背支持部Ｂ１の変形特性を方向付けるために背支持部Ｂ１のうち所定部分を他の部分よりも部分的に変形し易くした変形容易手段Ｂ１１を設けている。変形容易手段Ｂ１１として、背シェルＢＳの両側縁からそれぞれ巾方向中央に向かって延びる一対の切込部Ｂ１１ａを適用している（図３参照）。
【００４０】
背支持バックアップ部Ｂ２は、背支持用流体袋Ｂ３１の膨縮動作によって伸縮せず且つ湾曲変形しない剛性を有する一対の背支持バックアップ本体（第１背支持バックアップ本体Ｂ２１、第２背支持バックアップ本体Ｂ２２）と、これら一対の背支持バックアップ本体Ｂ２１、Ｂ２２間に形成され、且つ背支持用流体袋Ｂ３１の膨縮動作に伴うこれら背支持バックアップ本体Ｂ２１、Ｂ２２同士の相対位置変更を許容し得る相対位置変更許容手段Ｂ２３とを備えたものである（図８参照）。
【００４１】
第１背支持バックアップ本体Ｂ２１は、背支持部Ｂ１の巾方向略中央部を境にした一方の領域に配されるものであり、第２背支持バックアップ本体Ｂ２２は、他方の領域に配されるものである。第１背支持バックアップ本体Ｂ２１及び第２背支持バックアップ本体２２はそれぞれ面板状をなし、背支持部Ｂ１の巾方向略中央部を境にした各領域にそれぞれ個別に設けたものである。
【００４２】
各背支持バックアップ本体Ｂ２１、Ｂ２２は、一端部を、背支持部Ｂ１の巾方向略中央部から巾方向に変位させた箇所に一体的に強固に接合するとともに、他端部を、背支持部Ｂ１の巾方向略中央部を境に相互に略向かい合わせた自由端Ｂ２１ａ、Ｂ２２ａに設定したものである。本実施形態では、各背支持バックアップ本体Ｂ２１、Ｂ２２の一端部を背支持部Ｂ１に溶着等の適宜の手段により固定している。以下の説明では、第１背支持バックアップ本体Ｂ２１の一端部と背支持部Ｂ１との接合部位を「背支持第１接合部位ＢＰ１」とし、第２背支持バックアップ本体Ｂ２２の一端部と背支持部Ｂ１との接合部位を「背支持第２接合部位ＢＰ２」とする。各背支持バックアップ本体Ｂ２１、Ｂ２２は、背支持用流体袋Ｂ３１の膨張時に背支持用流体袋Ｂ３１に直接押圧される部位を、背支持用流体袋Ｂ３１を保持し得る保持部Ｂ２１１、Ｂ２２１として機能させている（図９参照）。本実施形態では、対をなす第１背支持バックアップ本体Ｂ２１、第２背支持バックアップ本体Ｂ２２を、背支持部Ｂ１の高さ方向に沿って複数列（図示例では３列）設けている。
【００４３】
相対位置変更許容手段Ｂ２３は、第１背支持バックアップ本体Ｂ２１の自由端Ｂ２１ａと第１背支持バックアップ本体Ｂ２１の自由端Ｂ２２との間に形成した間隙Ｂ２ｓによって構成されるものである。
【００４４】
背支持駆動機構Ｂ３は、背支持部Ｂ１と背支持バックアップ部Ｂ２との間に配した背支持用流体袋Ｂ３１と、背支持用流体袋Ｂ３１の流出入口に一端部を接続したチューブ等の管路Ｂ３２と、管路Ｂ３２の他端部に接続され背支持用流体袋Ｂ３１内へ流入される流体を供給する流体供給源Ｂ３３とを備えたものである。
【００４５】
背支持用流体袋Ｂ３１は、背支持部Ｂ１と第１背支持バックアップ本体Ｂ２１、第２背支持バックアップ本体Ｂ２２との間に抜落不能に配されている。本実施形態では、流体供給源Ｂ３３としてエアポンプを適用し、背支持用流体袋Ｂ３１として、内部の空気量の変化に伴って膨縮動作可能なエアバッグを適用している。図３等に示す前記エアポンプは手動式のものであり、着座者が当該エアポンプを直接握ることによって、背支持用流体袋Ｂ３１内の流体量を調整することが可能である。なお、背支持駆動機構Ｂ３の流体供給源Ｂ３３と、ランバーサポート駆動機構Ｌ３の流体供給源Ｌ３３とを共用しても構わない。また、各流体供給源Ｌ３３、Ｂ３３を作動させるための操作部（流体供給源Ｌ３３、Ｂ３３が手動式エアポンプの場合は当該エアポンプ自体）は、着座者が着座した姿勢でも操作可能な位置に設けておくことが好ましい。また、背支持駆動機構Ｂ３は、管路Ｂ３２等の適宜箇所に、流体の逆流を規制する状態と、流体の逆流を許容する状態との間で切替可能な切替弁を設けている。
【００４６】
そして、図４及び図８に示す初期状態（換言すれば背支持用流体袋Ｂ３１が収縮している状態）において、流体供給源Ｂ３３たるエアポンプを直接握ることによって、背支持用流体袋Ｂ３１に流体（本実施形態では圧縮空気）が供給され、背支持用流体袋Ｂ３１が膨張し、図６及び図９に示すように、背支持部Ｂ１及び背支持バックアップ部Ｂ２が相互に厚み方向に離間する方向へ押圧される。この際、背支持バックアップ部Ｂ２の各背支持バックアップ本体Ｂ２１、Ｂ２２は背支持用流体袋Ｂ３１の膨張動作による押圧力によっても弾性変形しない剛性を有するため、その押圧力が、各背支持バックアップ本体Ｂ２１、Ｂ２２の自由端Ｂ２１ａ、Ｂ２２ａ同士を相互に離間する方向に作用する。その結果、背支持部Ｂ１のうち背支持第１接合部位ＢＰ１及び背支持第２接合部位ＢＰ２が、これら接合部位ＢＰ１、ＢＰ２間の部分よりも相対的に前方へ移動することにより、これら接合部位ＢＰ１、ＢＰ２間の部分が相対的に後方へ没入するように撓みながら弾性変形し、背支持領域ＢＡ全体が平面視凹状に変形する。なお、図９において初期状態（撓み変形前）の背支持部Ｂ１を想像線で示している。また、図７は、背支持領域ＢＡ及びランバーサポート領域ＬＡを撓み変形させた状態を示す図である。
【００４７】
一方、このように背支持領域ＢＡを後方に没入させた状態において、エアポンプに設けられ、且つ前記切替弁を逆流規制状態から逆流許容状態に切り替えるための操作部に対して所定の操作を行うことにより、背支持用流体袋Ｂ３１内の流体量を減少させた場合には、この背支持用流体袋Ｂ３１が収縮し、この収縮動作に伴って、背支持部Ｂ１が弾性復帰するとともに、各背支持バックアップ本体Ｂ２１、Ｂ２２が自由端Ｂ２１ａ、Ｂ２２ａ同士を相互に近付ける方向に移動し、背支持領域ＢＡの後方への没入量が小さくなる（図８参照）。なお、背支持用流体袋Ｂ３１の膨縮動作に伴う背支持バックアップ本体Ｂ２１、Ｂ２２同士の相対位置変更は、各背支持バックアップ本体Ｂ２１、Ｂ２２の自由端Ｂ２１ａ、Ｂ２２ａ間に形成した間隙Ｂ２ｓによって許容される。
【００４８】
このように、本実施形態に係るランバーサポート領域作動装置Ｌは、ランバーサポート部Ｌ１とランバーサポートバックアップ部Ｌ２との間に介在させたランバーサポート用流体袋Ｌ３１の膨縮動作に伴ってランバーサポート部Ｌ１を変形させることができ、従来のような複雑なリンク機構等の機械的な機構が不要となり、構造の簡略化、及び構造簡略化に伴う外観の簡素化を有効に図ることができるとともに、ランバーサポート用流体袋Ｌ３１の膨縮動作に伴って、ランバーサポート部Ｌ１のうちランバーサポートバックアップ部Ｌ２との接合部位であるランバーサポート第１接合部位ＬＰ１及びランバーサポート第２接合部位ＬＰ２を相対的に後方へ移動させることによって容易にランバーサポート部Ｌ１全体を凸形に変形させることができ、変形動作の安定性も向上する。さらに、ランバーサポート用流体袋Ｌ３１内の流体量に応じてランバーサポート部Ｌ１の撓み量を無段階に調節することができる。加えて、ランバーサポート部Ｌ１の後背にランバーサポート用流体袋Ｌ３１を介してランバーサポートバックアップ部Ｌ２を配設しているため、ランバーサポート領域ＬＡ自体の強度も有効に向上させることができる。また、ランバーサポート用流体袋Ｌ３１を膨張させた場合には、ランバーサポート用流体袋Ｌ３１自体によって良好なクッション性をも得ることが可能である。
【００４９】
特に、ランバーサポート用流体袋Ｌ３１の膨張動作に伴って、各接合部位ＬＰ１、ＬＰ２同士が相互に接近するにつれてランバーサポート部Ｌ１の変形量が漸次増大するため、ランバーサポート部Ｌ１が略直線状をなす初期状態から徐々に湾曲変形する態様となり、着座者が着座した状態でランバーサポート部Ｌ１を変形させた場合であっても、着座者に不意な負荷が掛かることを回避できる。
【００５０】
加えて、ランバーサポート部Ｌ１が、ランバーサポート用流体袋Ｌ３１の膨張動作に伴って伸縮せずに湾曲変形し得るものであるため、ランバーサポート部Ｌ１が伸縮性に富む素材から成形したものである場合に起こり得る不具合、すなわち、前記ランバーサポート駆動機構Ｌ３による押圧力を受けた場合に、その押圧力をランバーサポート部Ｌ１自体の伸縮によって吸収してしまうという不具合が生じず、ランバーサポート用流体袋Ｌ３１の膨張動作による押圧力に応じたランバーサポート部Ｌ１の撓み変形、ひいてはランバーサポート領域ＬＡ全体の撓み変形を実現することができる。
【００５１】
また、ランバーサポートバックアップ部Ｌ２が、ランバーサポート用流体袋Ｌ３１の膨張動作に伴って伸縮せずに湾曲変形し得るものであるため、ランバーサポートバックアップ部Ｌ２が伸縮性に富む素材から成形したものである場合に起こり得る不具合、すなわち、ランバーサポート用流体袋Ｌ３１の膨張動作による押圧力を受けた場合に、その押圧力をランバーサポートバックアップ部Ｌ２自体の伸縮によって吸収してしまい、ランバーサポート部Ｌ１を変形させることができないという不具合を回避することができる。さらに、ランバーサポート用流体袋Ｌ３１の膨張動作時におけるランバーサポートバックアップ部Ｌ２の変形量が、ランバーサポート部Ｌ１の変形量よりも大きくなるように設定しているため、ランバーサポートバックアップ部Ｌ２がランバーサポート部Ｌ１よりも湾曲変形し易いものである場合に起こり得る不具合、すなわち、ランバーサポート用流体袋Ｌ３１の膨張動作による押圧力を受けた場合に、ランバーサポート部Ｌ１のうち、ランバーサポートバックアップ部Ｌ２の接合部位ＬＰ１、ＬＰ２に囲まれた領域がいびつな形状に変形するという不具合を回避することができる。
【００５２】
特に、ランバーサポート部Ｌ１及びランバーサポートバックアップ部Ｌ２が、膨張させたランバーサポート用流体袋Ｌ３１を収縮させた際に、変形前の状態に自己復元し得るものであるため、ランバーサポート用流体袋Ｌ３１の収縮動作に伴ってランバーサポート部Ｌ１及びランバーサポートバックアップ部Ｌ２が自動的に湾曲変形前の状態（初期状態）に戻り、好適である。
【００５３】
さらに、ランバーサポート部Ｌ１及びランバーサポートバックアップ部Ｌ１が概略面状のものであるため、これらランバーサポート部Ｌ１及びランバーサポートバックアップ部Ｌ１の間で膨縮可能なランバーサポート用流体袋Ｌ３１が膨張した場合に、このランバーサポート用流体袋Ｌ３１の膨張動作による押圧力を、ランバーサポート部Ｌ１及びランバーサポートバックアップ部Ｌ１が面で受ける態様となり、ランバーサポート用流体袋Ｌ３１の膨張動作に応じてランバーサポート部Ｌ１及びランバーサポートバックアップ部Ｌ１を的確に変形させることが可能である。
【００５４】
なお、本発明に係る変形領域作動装置は、以上に詳述した実施形態に限られるものではない。
【００５５】
例えば、変形部、バックアップ部は、それぞれ流体袋の膨張動作に伴って伸縮せず湾曲変形するものであり、且つ流体袋の収縮動作に伴って元の形状に自己復元可能なものであればよく、厚み方向に撓み変形可能な板バネであってもよい。
【００５６】
また、一の変形部に対して複数のバックアップ部を接合してもよい。この場合、変形部と各バックアップ部との間にそれぞれ流体袋を設けてもよく、或いは複数のバックアップ部に対して単一の流体袋を設けてもよい。
【００５７】
また、変形部とバックアップ部とを一体に接合した態様、すなわち変形部とバックアップ部とが一体品である態様を採用しても構わない。
【００５８】
さらには、流体袋の所定部位を変形部に直接接合し、流体袋のうち変形部に接触しない背面側の部位をバックアップ部として機能させてもよい。この場合、流体袋を頑丈な素材からなるものとしておく必要がある。このような態様であっても、流体袋自体は、変形部と、バックアップ部（流体袋の背面側の部位）との間で膨縮自在なものとなる。
【００５９】
また、バックアップ部の両端部を、変形部の端部から変位した箇所に接合した態様を採用しても構わない（図１及び図２参照）。このようにすれば、バックアップ部を取り付けた対象、すなわち変形部のうち、各接合部位より端部側の部分を、各接合部位よりもさらに後方へ移動させるものとなり、各接合部位を変形部の端部に接合した場合と比較して、各接合部位の移動距離に対する変形部の変形量を増大させることができる。
【００６０】
また、変形部の変形特性を方向付けるために当該変形部のうち所定部分を他の部分よりも部分的に変形し易くした変形容易手段を備えたものとしてもよい。変形容易手段としては、スリットや切欠が挙げられる。変形容易手段を設ける箇所は、変形部の端部に限らず、例えば変形容易手段として機能するスリットを変形部全体に所定ピッチで多数設けた態様であっても構わない。変形容易手段として、ヒンジ（樹脂ヒンジ含む）や他の部位より薄肉に設定した薄肉部を適用してもよい。
【００６１】
また、変形部の変形特性を方向付けるために当該変形部のうち所定部分を他の部分よりも部分的に変形し難くした変形抑制手段を備えたものとしてもよい。変形抑制手段としては、図１０及び図１１に示すように、変形部Ｘ１と流体袋Ｘ３１との間に配され、且つ流体袋Ｘ３１の膨張動作によって湾曲変形しない剛性を有する補強材Ｘ４が挙げられる。このようなものであれば、流体袋Ｘ３１の膨張動作に伴って、変形部Ｘ１のうちバックアップ部Ｘ２との接合部位ＸＰ１、ＸＰ２を後方に向かって移動させつつ、変形部Ｘ１のうちバックアップ部Ｘ２との接合部位ＸＰ１、ＸＰ２に囲まれる領域の形状を流体袋Ｘ３１の収縮時と略同形状に保つことができる。したがって、例えばランバーサポート部とランバーサポート用流体袋との間に補強材を介在させた場合には、着座者の背に当たる形状を保ったままランバーサポート領域全体を前方へ突出させることが可能である。なお、変形抑制手段が、複数の補強材からなるものであっても構わない。
【００６２】
変形容易手段及び変形抑制手段の何れをも備えた態様であれば、これら変形容易手段及び変形抑制手段の配置箇所を適切に組み合わせて、変形部に、変形し易い部分、変形し難い部分を意図的に作り出すことにより、変形部の変形形状を自由に設定することができ、変形部の変形態様がバリエーションに富むものとなり、要求される複雑な変形態様にも対応可能なものとなる。
【００６３】
また、流体袋が圧縮空気以外の流体の流出入によって膨縮自在なものであってもよい。
【００６４】
前記実施形態では、バックアップ部の両端部を変形部における高さ方向に沿って互いに離間した二箇所に接合し、流体袋の膨張動作に伴って接合部位同士が後方へ移動しながら変形部の高さ方向に相互に接近する態様を例示したが、バックアップ部の端部を変形部における巾方向又は奥行き方向に沿って互いに離間した二箇所に接合し、流体袋の膨張動作に伴って接合部位同士が後方へ移動しながら変形部の巾方向又は奥行き方向に相互に接近する態様を採用しても構わない。
【００６５】
また、前記実施態様では、ランバーサポート部と背支持部とが連続性を有する一体品の背シェルを例示したが、ランバーサポート部と背支持部とが連続性のない別体のものからなる態様であってもよい。また、変形部がシェルではなく、フレームであっても構わない。
【００６６】
また、変形部の前面に、変形部の変形に応じて変形可能な張り地やクッションを設けてもよい。
【００６７】
さらに、ランバーサポート領域以外の領域、例えば座面やヘッドレスト、或いは肘掛けやフットレストが変形可能な領域である場合、本発明の変形領域作動装置を、これら各変形領域を作動させるためのものとして活用することもできる。
【００６８】
一例として、図１２及び図１３に示すように、本発明の変形領域作動装置を、座領域ＺＡの後端部近傍領域を作動させるための座後端領域作動装置Ｚとして適用した態様が挙げられる。この場合、変形領域が、座面を形成する座領域ＺＡであり、変形部が、座領域ＺＡに配される座部Ｚ１であり、バックアップ部が、座部Ｚ１のうち漸次上方に迫り上がった後端部位に配される座後端部位バックアップ部Ｚ２であり、流体袋Ｚ３１の膨張動作に伴って座部Ｚ１の後端部位を下方に向かって湾曲変形させるようにすればよい。このようなものであれば、迫り上がった座部Ｚ１の後端部位によって着座者の骨盤全体をサポートし得る状態と、そのサポート状態を解除した状態とを選択することできる。
【００６９】
また、異なる他の一例として、図１４及び図１５に示すように、本発明の変形領域作動装置を、座領域ＺＡの前端部近傍領域を作動させるための座前端領域作動装置Ｚとして適用した態様が挙げられる。この場合、変形領域が、座面を形成する座領域ＺＡであり、変形部が、座領域ＺＡに配される座部Ｚ１であり、バックアップ部が、座部Ｚ１の前端部位に配される座前端部位バックアップ部Ｚ２であり、流体袋Ｚ３１の膨張動作に伴って座部Ｚ１の前端部位を下方に向かって湾曲変形させることにより、着座者の体型や着座姿勢等に応じて座部Ｚ１の奥行き寸法を変更することができる。
【００７０】
また、椅子に限らず、例えば、ソファやベッドの面状領域を構成する変形領域を作動させるための変形領域作動装置として活用することも可能である。ベッドに適用する一例としては、図１６及び図１７に示すように、本発明の変形領域作動装置を、ベッドに横たわる使用者の身体を支持し得る身体支持領域ＤＡのうち使用者の膝近傍領域を支持し得る膝支持領域を作動させるための膝支持領域作動装置Ｄとして適用した態様が挙げられる。この場合、変形部が、使用者の身体を支持し得る身体支持部Ｄ１であり、バックアップ部が身体支持部Ｄ１のうち使用者の膝近傍を支持し得る膝支持部に配した膝バックアップ部Ｄ２であり、身体支持部Ｄ１と膝バックアップ部Ｄ２との間に介在させた流体袋Ｄ３の膨張動作に伴って膝支持部Ｄ１を上方に向かって湾曲変形させるようにすればよい。
【００７１】
なお、各変形例を示す図１０〜図１７における「ＸＰ１、ＸＰ２、ＺＰ１、ＺＰ２、ＤＰ１、ＤＰ２」は、各変形部Ｘ１、Ｚ１、Ｄ１と各バックアップ部Ｘ２、Ｚ２、Ｄ２との接合部位である。
【００７２】
また、一の家具において、複数の変形領域が存在する場合に、本発明の変形領域作動装置を各変形領域に関連付けて複数設けてもよい。さらには、これら各変形領域作動装置を相互に関連付け、各変形領域作動装置の流体袋の膨縮動作を同時又は時間差で連動させるようにしても構わない。異なる変形領域作動装置の流体袋同士を管路等を介して接続し、各流体袋の内部空間同士を連通させた状態と、遮断した状態との間で切替可能にしてもよい。
【００７３】
また、変形部が、湾曲変形するものではなく、屈曲変形するものであってもよい。
【００７４】
また、図１８に示すように、バックアップ部Ｘ２の端部のうち３箇所以上（図示例では３箇所）を変形部Ｘ１に接合した態様や、図１９に示すように、バックアップ部Ｘ２の端部全域を変形部Ｘ１に接合した態様を採用しても構わない。この場合、変形部Ｘ１における仮想円周Ｘ１ｓ上又は仮想円周Ｘ１ｓ近傍に、バックアップ部Ｘ２の端部のうち複数箇所又は端部全域を接合したものであれば、流体袋Ｘ３１の膨縮動作に伴って変形部Ｘ１を３次元的に変形させることができる。なお、図１８及び図１９では、各バックアップ部Ｘ２のうち変形部Ｘ１に接合する端部にパターンを付している。
【００７５】
その他、各部の具体的構成についても上記実施形態に限られるものではなく、本発明の趣旨を逸脱しない範囲で種々変形が可能である。
【図面の簡単な説明】
【００７６】
【図１】本発明に係る変形領域作動装置の原理図。
【図２】本発明に係る変形領域作動装置の作用説明図。
【図３】本発明の一実施形態に係るランバーサポート領域作動装置を設けた背シェルの背面を模式的に示す図。
【図４】同実施形態に係るランバーサポート領域作動装置を設けた背シェルの側面を模式的に示す図。
【図５】ランバーサポート領域を撓み変形させた状態を図４に対応させて示す図。
【図６】背支持領域を撓み変形させた状態を図４に対応させて示す図。
【図７】ランバーサポート領域及び背支持領域を撓み変形させた状態を図４に対応させて示す図。
【図８】同実施形態における背支持領域作動装置の原理図。
【図９】同実施形態における背支持領域作動装置の作用説明図。
【図１０】本発明における変形抑制手段を備えた変形領域作動装置の一例を図１に対応させて示す図。
【図１１】本発明における変形抑制手段を備えた変形領域作動装置の一例を図２に対応させて示す図。
【図１２】本発明に係る変形領域作動装置を座後端領域作動装置として適用した一態様を模式的に示す図。
【図１３】図１２に示す座後端領域作動装置において流体袋が膨張した状態を模式的に示す図。
【図１４】本発明に係る変形領域作動装置を座前端領域作動装置として適用した一態様を模式的に示す図。
【図１５】図１４に示す座前端領域作動装置において流体袋が膨張した状態を模式的に示す図。
【図１６】本発明に係る変形領域作動装置を膝支持領域作動装置として適用した一態様を模式的に示す図。
【図１７】図１６に示す膝支持領域作動装置において流体袋が膨張した状態を模式的に示す図。
【図１８】本発明に係る変形領域作動装置の一変形例であって、後背から見た状態を模式的に示す図。
【図１９】本発明に係る変形領域作動装置の他の一変形例であって、後背から見た状態を模式的に示す図。
【符号の説明】
【００７７】
Ｘ、Ｌ…変形領域作動装置（ランバーサポート領域作動装置）
Ｘ１、Ｌ１…変形部（ランバーサポート部）
Ｘ２、Ｌ２…バックアップ部（ランバーサポートバックアップ部）
Ｘ３、Ｌ３…駆動機構（ランバーサポート駆動機構）
Ｘ３１、Ｌ３１…流体袋（ランバーサポート用流体袋）
ＸＡ、ＬＡ…変形領域（ランバーサポート領域）
【図１】
0005124798.tif 000002
【図２】
0005124798.tif 000003
【図３】
0005124798.tif 000004
【図４】
0005124798.tif 000005
【図５】
0005124798.tif 000006
【図６】
0005124798.tif 000007
【図７】
0005124798.tif 000008
【図８】
0005124798.tif 000009
【図９】
0005124798.tif 000010
【図１０】
0005124798.tif 000011
【図１１】
0005124798.tif 000012
【図１２】
0005124798.tif 000013
【図１３】
0005124798.tif 000014
【図１４】
0005124798.tif 000015
【図１５】
0005124798.tif 000016
【図１６】
0005124798.tif 000017
【図１７】
0005124798.tif 000018
【図１８】
0005124798.tif 000019
【図１９】
0005124798.tif 000020